(57)【要約】  電子機器分野に関し、特にホルダ及び携帯電話ケースに関する。ホルダであって、ベースと、ベースに回転可能に接続されるブラケットとを備え、当該ベースに、自撮り棒を接続するためのコネクタ溝が設けられている。さらに表面に前記ホルダが設けられる携帯電話ケースを提供する。構成がシンプルであり、自撮り棒と合わせて使用できるホルダ及び携帯電話ケースを提供し、複雑な操作を必要とせず、自撮り棒で直接携帯電話を挟持することによる携帯電話への損傷を防止することができる。また、携帯電話がホルダによりしっかりと自撮り棒に固定されるので、ユーザが揺らしても携帯電話が落下して損傷することがなく、ユーザが揺らしても自撮り棒における携帯電話の位置ずれが生じてユーザの自撮り操作に影響を及ぼすこともない。【選択図】図１
2019536485.tif 000002
【特許請求の範囲】
【請求項１】
ベース（１１０）と、ベース（１１０）に回転可能に接続されるブラケット（１３０）とを備えるホルダ（１００）であって、
当該ベース（１１０）に、自撮り棒を接続するためのコネクタ溝（１１１）が設けられている
ことを特徴とするホルダ。
【請求項２】
前記ホルダ（１００）は、自撮り棒をロックするためのロック装置（１０１）を備えることを特徴とする請求項１に記載のホルダ。
【請求項３】
前記ベース（１１０）に前記ロック装置（１０１）を装着するための装着部（１０２）が設けられ、
前記ロック装置（１０１）は、ロック部材（１１３）と、ロック部材とベース（１１０）との間に設けられる弾性部材（１１３３）とを備える
ことを特徴とする請求項２に記載のホルダ。
【請求項４】
前記ロック部材（１１３）は、押圧部（１１３１）と、自撮り棒とを係合するための係合部（１１３２）とを備えることを特徴とする請求項３に記載のホルダ。
【請求項５】
前記コネクタ溝（１１１）に、自撮り棒の位置を決めるための位置決め突起（１２２）が少なくとも１つ設けられていることを特徴とする請求項４に記載のホルダ。
【請求項６】
前記ホルダ（１００）は、接続部材（１１２）を備え、
前記ベース（１１０）に接続部材（１１２）を収容する切り欠きが設けられ、
前記ブラケット（１３０）は、接続部材（１１２）を貫通し、接続部材（１１２）を中心に回転及び／又は反転する
ことを特徴とする請求項１に記載のホルダ。
【請求項７】
前記ベース（１１０）に、前記ブラケット（１３０）の大きさ及び形状に対応する収納溝（１２０）が設けられていることを特徴とする請求項１に記載のホルダ。
【請求項８】
ベース（１１０）と、ベース（１１０）に回転可能に接続されるブラケット（１３０）とを備えるホルダ（１００）であって、
当該ベース（１１０）に自撮り棒を接続するためのコネクタ溝（１１１）が設けられ、
前記コネクタ溝（１１１）に、自撮り棒の位置を決めるための位置決め突起（１２２）が少なくとも１つ設けられ、
前記ベース（１１０）に前記ブラケット（１３０）の大きさ及び形状に対応する収納溝（１２０）が設けられ、
前記ホルダ（１００）は、自撮り棒をロックするためのロック装置（１０１）を備え、
前記ロック装置（１０１）は、ロック部材（１１３）と、ロック部材（１１３）とベース（１１０）との間に設けられる弾性部材（１１３３）とを備え、
前記ロック部材（１１３）は、押圧部（１１３１）と、自撮り棒と係合するための係合部（１１３２）とを備える
ことを特徴とするホルダ。
【請求項９】
携帯電話ケース（２００）であって、
その裏面に、請求項１乃至８のいずれか１つに記載のホルダ（１００）が設けられていることを特徴とする携帯電話ケース。
【発明の詳細な説明】
【技術分野】
【０００１】
本発明は、電子機器分野に関し、特にホルダ及び携帯電話ケースに関する。
【背景技術】
【０００２】
撮影機材の発展に伴い、カメラやビデオカメラは、人々の生活エピソードを記録する便利な機器として、日常生活において幅広く使われている。特に、写真やビデオを撮影する機能を有する携帯電話が普及しつつあり、人々は随時写真やビデオを撮影することができるようになった。
【０００３】
人々は携帯電話で自撮りするとき、通常、自撮り棒に携帯電話を固定して、補助撮影を行う。自撮り棒は一定の長さの範囲内で任意に伸縮できるので、使用者は自撮り棒にあるシャッターキーを押せば、様々な角度の自撮りを実現することができる。しかし、多くの人は携帯電話ケースを使用して携帯電話をカバーしており、市販の携帯電話ケースでは機能が単一なため、ユーザの多くのニーズは満たされない。
【０００４】
また、従来の自撮り棒は、挟持ヘッドで携帯電話をしっかりと挟持する必要があり、挟持する箇所で携帯電話を傷つけやすい。また、挟持ヘッドは携帯電話より小さいため、大きな力で挟持ヘッドを引き離して挟持ヘッドの間に携帯電話を置く必要があり、手間がかかる。
【０００５】
このため、自撮り棒と合わせて使用でき、構成がシンプルで、操作が容易であり、堅固なホルダ及び携帯電話ケースを提供することは、今まで当業者が主として検討してきた課題の１つである。
【発明の概要】
【発明が解決しようとする課題】
【０００６】
本発明は、従来技術の上記問題を鑑みて、操作が面倒で、構成が複雑であり、携帯電話を傷つけやすい問題を解決することのできるホルダを提供することを目的とする。
【課題を解決するための手段】
【０００７】
本発明は、解決しようとする技術課題である従来技術の上記問題を鑑みて、ホルダであって、ベースと、ベースに回転可能に接続されるブラケットとを備え、当該ベースに、自撮り棒を接続するためのコネクタ溝が設けられていることを特徴とする。
【０００８】
また、好ましくは、前記ホルダは、自撮り棒をロックするためのロック装置を備えることを特徴とする。
【０００９】
また、好ましくは、前記ベースに、前記ロック装置を装着するための装着部が設けられ、前記ロック装置は、ロック部材と、ロック部材とベースとの間に設けられる弾性部材とを備えることを特徴とする。
【００１０】
また、好ましくは、前記ロック部材は、押圧部と、自撮り棒とを係合するための係合部とを備えることを特徴とする。
【００１１】
また、好ましくは、前記コネクタ溝に、自撮り棒の位置を決めるための位置決め突起が少なくとも１つ設けられていることを特徴とする。
【００１２】
また、好ましくは、前記ホルダは、接続部材を備え、前記ベースに接続部材を収容する切り欠きが設けられ、前記ブラケットは、接続部材を貫通し、接続部材を中心に回転及び／又は反転することを特徴とする。
【００１３】
また、好ましくは、前記ベースに、前記ブラケットの大きさ及び形状に対応する収納溝が設けられていることを特徴とする。
【００１４】
本発明は、ホルダであって、ベースと、ベースに回転可能に接続されるブラケットとを備え、当該ベースに、自撮り棒を接続するためのコネクタ溝が設けられ、前記コネクタ溝に、自撮り棒の位置を決めるための位置決め突起が少なくとも１つ設けられ、前記ベースに、前記ブラケットの大きさ及び形状に対応する収納溝が設けられ、前記ホルダは、自撮り棒をロックするためのロック装置を備え、前記ロック装置は、ロック部材と、ロック部材とベースとの間に設けられる弾性部材とを備え、前記ロック部材は、押圧部と、自撮り棒と係合するための係合部とを備えることを特徴とする。
【００１５】
本発明は、携帯電話ケースであって、前記携帯電話ケースの裏面には、上記のホルダが設けられていることを特徴とする。
【００１６】
本発明の有益な効果は、以下の通りである。従来技術に比べて、本発明は、構成がシンプルで、自撮り棒と合わせて使用できるホルダ及び携帯電話ケースを提供し、複雑な操作を必要とせず、自撮り棒で直接携帯電話を挟持することによる携帯電話への損傷を防止することができる。また、携帯電話がホルダによりしっかりと自撮り棒に固定されるので、ユーザが揺らしても携帯電話が落下して損傷することがなく、ユーザが揺らしても自撮り棒における携帯電話の位置ずれが生じてユーザの自撮り操作に影響を及ぼすこともない。
【図面の簡単な説明】
【００１７】
以下、図面及び実施形態を合わせて参照し、本発明を更に説明する。
【００１８】
【図１】本発明の一実施形態におけるホルダ及び携帯電話ケースの斜視図である。
【図２】本発明の一実施形態におけるホルダ及び携帯電話ケースの分解図である。
【図３】本発明の一実施形態における弾性部材の模式図である。
【発明を実施するための形態】
【００１９】
以下、図面を参照して、本発明の好ましい実施形態を詳しく説明する。
【００２０】
図１乃至図３に示すように、本発明は、ホルダ１００の好ましい実施形態を提供する。
【００２１】
ホルダ１００は、ベース１１０と、ベース１１０に回転可能に接続されるブラケット１３０とを備える。当該ベース１１０に自撮り棒を接続するためのコネクタ溝１１１が設けられている。自撮り棒はコネクタ溝１１１に挿入することにより固定される。ホルダ１００は、携帯電話（又はその他の撮影装置）の裏面、又は携帯電話ケースの裏面に直接設けてもよく、また、単独で携帯電話を支持する通常のサポータとして使用してもよい。ブラケット１３０は、環状又はその他の形状でもよいが、本実施形態においては、環状のブラケット１３０だけを例として説明する。
【００２２】
具体的には、ホルダ１００は、自撮り棒をロックするためのロック装置１０１を備える。
【００２３】
更に、ベース１１０に、ロック装置１０１を装着するための装着部１０２が設けられている。ロック装置１０１は、ロック部材１１３と、ロック部材１１３とベース１１０との間に設けられる弾性部材１１３３とを備える。
【００２４】
更に、図２と図３に示すように、本実施形態における装着部１０２は、ベース１１０の中心部に設けられる穴である。ロック部材１１３は、押圧部１１３１と、自撮り棒と係合するための係合部１１３２とを備える。押圧部１１３１は、ボタン１１３１１、頂板１１３１２、接続板１１３１３及び底板１１３１４を備える。当該頂板１１３１２と底板１１３１４とは、接続板１１３１３を介して接続されている。当該ボタン１１３１１は、ベース１１０及び頂板１１３１２を貫通し、前記穴から突出する。弾性部材１１３３は、ボタン１１３１１を囲んで頂板１１３１２の下面に位置する。押圧部１１３１を押し続けて押下させた状態で、自撮り棒をコネクタ溝１１１に挿入する。そして、押圧部１１３１を放すと、弾性部材１１３３の弾性力により押圧部１１３１が上がり、当該係合部１１３２が自撮り棒に係合することにより、自撮り棒はコネクタ溝１１１に固定される。また、再度押圧部１１３１を押続けて押下させた状態で、自撮り棒をコネクタ溝１１１から抜き出す。そして、押圧部１１３１を放すと、弾性部材１１３３の弾性力により押圧部１１３１が上がり、元に戻る。また、係合部１１３２は一定の傾斜度を有することが好ましい。これにより、自撮り棒をコネクタ溝１１１に挿入する際に、押圧部１１３１を押す必要がなく、スムーズに挿入できる。
【００２５】
また、ボタン１１３１１、頂板１１３１２、接続板１１３１３、底板１１３１４及び係合部１１３２は一体成形され、弾性部材１１３３はスプリングである。
【００２６】
具体的には、コネクタ溝１１１に、自撮り棒の位置を決めるための位置決め突起１２２が少なくとも１つ設けられる。位置決め突起１２２は２つ設けられることが好ましい。自撮り棒はコネクタ溝１１１に挿入されると、位置決め突起１２２に対応してコネクタ溝１１１に固定されるため、自撮り棒が挿入方向に垂直な方向に沿って移動することを防止できる。
【００２７】
更に、コネクタ溝１１１にキャビティ１２１が設けられ、位置決め突起１２２は、キャビティ１２１の縁部に垂直に設けられている。押圧部１１３１を押し下げると、底板１１３１４がキャビティ１２１に挿嵌する。
【００２８】
更に、キャビティ１２１に支持板１２３が延設され、位置決め突起１２２は支持板１２３に設けられている。当該支持板１２３の一端部は一定の傾斜度を有するため、コネクタ溝１１１への自撮り棒の挿入に役立つ。
【００２９】
本実施形態において、ホルダ１００は、接続部材１１２を備え、ベース１１０に接続部材１１２を収容する切り欠きが設けられている。ブラケット１３０は接続部材１１２を貫通する。当該接続部材１１２は、回転することができるとともに、ブラケット１３０を回転させることもできる。当該ブラケット１３０は、接続部材１１２を中心に回転及び反転することができる。また、当該ブラケット１３０は、接続部材１１２を中心に回転することだけでき、或いは、接続部材１１２を中心に反転することだけできる。
【００３０】
また、ベース１１０に、ブラケット１３０の大きさ及び形状に対応する収納溝１２０が設けられている。ブラケット１３０は円形状に形成されることが好ましい。これにより、美観性を向上させるとともに、ユーザは容易にブラケット１３０を利用して携帯電話を把持できる。また、収納溝１２０も円形支持台形状に形成され、円形状のブラケットを収納溝１２０に重ねることに寄与する。無論、前記ブラケット１３０や収納溝１２０は、いずれもその他の形状に形成してもよく、ここには逐一挙げない。
【００３１】
また、本発明は、位置決め突起１２２の他の好ましい実施形態を提供する。
【００３２】
図１と図２に示すように、位置決め突起１２２は磁気材質からなり、自撮り棒は位置決め突起１２２と逆極性の磁気材質からなる。自撮り棒を前記コネクタ溝１１１に挿入すると、磁気吸引の原理により、当該自撮り棒がコネクタ溝１１１に固定される。
【００３３】
本発明は、携帯電話ケース２００の好ましい実施形態を提供する。
【００３４】
図１に示すように、携帯電話ケース２００の表面にホルダ１００が設けられている。当該ホルダ１００を、高接着性物質により携帯電話ケース２００に固定してもよいし、その他の方式により携帯電話ケース２００に固定してもよく、ここでは限定しない。
【００３５】
本発明は、携帯電話ケース２００の他の好ましい実施形態を提供する。
【００３６】
具体的には、図２に示すように、携帯電話ケース２００にキャビティ１２１が設けられ、支持板１２３、位置決め突起１２２及び携帯電話ケース２００が一体成形されている。携帯電話ケース２００の表面に、複数の固定溝２４０が設けられ、ベース１１０と接続部材１１２とは、固定溝２４０により携帯電話ケース２００の表面に固定接続されている。
【００３７】
上記の実施形態において、図１と図２に示すように、携帯電話ケース２００には、携帯電話の規格に応じて、対応する位置にカメラ穴２２０とフラッシュ穴２３０が設けられており、携帯電話の自撮り操作が容易に行われる。当該携帯電話ケース２００には、シャッター線用穴２１０が設けられるので、携帯電話ケース２００が自撮り棒に固定されたときに、携帯電話ポートへの自撮り棒のシャッター線の挿入が容易に行われる。
【００３８】
上記内容は、本発明の好ましい実施形態だけであり、本発明の保護範囲を限定するものではない。本発明の思想及び原則の範囲内に行われる修正、均等な置き換え、変更等は、いずれも本発明の保護範囲内に該当するものとする。
【図１】
2019536485.tif 000003
【図２】
2019536485.tif 000004
【図３】
2019536485.tif 000005
【国際調査報告】
2019536485.tif 000006
2019536485.tif 000007
2019536485.tif 000008
2019536485.tif 000009